(57)【要約】【課題】同期処理のために通信処理を行うことができない時間をできるだけ短縮すること。【解決手段】複数の無線通信部２１を含む基地局装置２０において、各クロック生成部２９が生成するクロックを位相同期させる同期処理部２２と、複数の無線通信部２１のうちの一部について、移動局装置との通信を停止させる通信停止部３０と、無線通信部２１−２において他の基地局装置が送信している同期用信号である他局同期用信号を受信する受信部２６−２と、クロック生成部２９−２により生成されるクロックの位相を変更しつつ、該クロックに基づいて自局同期用信号を生成する同期用信号生成部２８と、をさらに含み、同期処理部２２は、各クロック生成部２９が生成するクロックの位相を、受信した他局同期用信号と、クロック生成部２９−２により生成される自局同期用信号と、に基づいて制御するようにした。【選択図】図２
2007208333.tif 000002
【特許請求の範囲】
【請求項１】
複数の無線通信部を含む基地局装置であって、
前記各無線通信部はそれぞれ、１又は複数の移動局装置との通信を行い、
前記各無線通信部はそれぞれ、クロックを生成するクロック生成手段を含み、
当該基地局装置は、
前記各クロック生成手段が生成するクロックを位相同期させる同期処理手段と、
前記複数の無線通信部のうちの一部について、前記１又は複数の移動局装置との通信を停止させる通信停止手段と、
前記一部の無線通信部において他の基地局装置が送信している同期用信号である他局同期用信号を受信する他局同期用信号受信手段と、
前記一部の無線通信部の前記クロック生成手段により生成されるクロックの位相を変更しつつ、該クロックに基づいて自局同期用信号を生成する自局同期用信号生成手段と、
をさらに含み、
前記同期処理手段は、前記各クロック生成手段が生成するクロックの位相を、前記他局同期用信号受信手段により受信した他局同期用信号と、前記自局同期用信号生成手段により生成される自局同期用信号と、に基づいて制御する、
ことを特徴とする基地局装置。
【請求項２】
請求項１に記載の基地局装置において、
前記他局同期用信号受信手段により受信した他局同期用信号と、前記自局同期用信号生成手段により生成される自局同期用信号と、に基づいて、前記クロックの位相を確定するクロック位相確定手段、
をさらに含み、
前記同期処理手段は、前記各クロック生成手段が生成するクロックの位相を、前記クロック位相確定手段が確定した位相に基づいて制御する、
ことを特徴とする基地局装置。
【請求項３】
請求項１又は２に記載の基地局装置において、
当該基地局装置は、
前記同期用信号を送信する他局同期用信号送信手段、
を含み、
前記他局同期用信号受信手段は、前記他局同期用信号送信手段による同期用信号送信タイミングでは、前記他の基地局装置が送信している同期用信号の受信を中止する、
ことを特徴とする基地局装置。
【発明の詳細な説明】
【技術分野】
【０００１】
本発明は基地局装置に関し、特に基地局装置間の同期を確立するための技術に関する。
【背景技術】
【０００２】
移動体通信システムにおいては網内の全ての通信装置間で同期（網同期）を確立しておく必要がある。基地局装置間の同期も確立しておく必要があるので、基地局装置は、他の基地局装置が送信している無線信号を受信し、その無線信号の位相に基づいて同期処理を行うようにしている（例えば、特許文献１）。
【０００３】
上記同期処理について簡単に説明する。基地局装置はクロック（同期信号とも呼ばれる）を常に生成しており、上記同期処理は各基地局装置のクロックを位相同期させる処理である。
【０００４】
各基地局装置は、当該基地局装置において生成しているクロックに基づいて生成された同期用信号を送信しており、さらに他の基地局装置が送信している該同期用信号を受信する。そして、各基地局装置は上記クロックの位相をずらしながら同期用信号（自局同期用信号）を生成し、生成した自局同期用信号と、受信した同期用信号（他局同期用信号）と、の相関値を求める。基地局装置は、こうして求めた相関値が最大となったときのクロックの位相に基づいて、当該基地局装置のクロックの位相を確定する。こうして、上記同期処理により各基地局装置のクロックを位相同期させることができる。
【特許文献１】特開２００２−１６５２６９号公報
【発明の開示】
【発明が解決しようとする課題】
【０００５】
しかしながら、上記同期処理では当該基地局装置が生成しているクロックの位相をずらす必要があるので、処理を行っている間は網同期から外れた状態となり、通常の通信処理を行うことができないという問題があった。
【０００６】
従って、本発明の課題の一つは、同期処理のために通信処理を行うことができない時間をできるだけ短縮することを可能とする基地局装置を提供することにある。
【課題を解決するための手段】
【０００７】
上記課題を解決するための本発明に係る基地局装置は、複数の無線通信部を含む基地局装置であって、前記各無線通信部はそれぞれ、１又は複数の移動局装置との通信を行い、前記各無線通信部はそれぞれ、クロックを生成するクロック生成手段を含み、当該基地局装置は、前記各クロック生成手段が生成するクロックを位相同期させる同期処理手段と、前記複数の無線通信部のうちの一部について、前記１又は複数の移動局装置との通信を停止させる通信停止手段と、前記一部の無線通信部において他の基地局装置が送信している同期用信号である他局同期用信号を受信する他局同期用信号受信手段と、前記一部の無線通信部の前記クロック生成手段により生成されるクロックの位相を変更しつつ、該クロックに基づいて自局同期用信号を生成する自局同期用信号生成手段と、をさらに含み、前記同期処理手段は、前記各クロック生成手段が生成するクロックの位相を、前記他局同期用信号受信手段により受信した他局同期用信号と、前記自局同期用信号生成手段により生成される自局同期用信号と、に基づいて制御する、ことを特徴とする。
【０００８】
これによれば、複数の無線通信部を設け、それぞれがクロックを生成するようにし、一部の無線通信部において受信される他の基地局装置からの他局同期用信号と、該一部の無線通信部が位相を変更しつつ生成している自局同期用信号と、に基づいて、クロックの位相を制御するようにしているので、相関値を算出するために該一部の無線通信部以外のクロックの位相をずらす必要がなくなり、同期処理のために通信処理を行うことができない時間をできるだけ短縮することが可能となる。
【０００９】
また、上記基地局装置において、前記他局同期用信号受信手段により受信した他局同期用信号と、前記自局同期用信号生成手段により生成される自局同期用信号と、に基づいて、前記クロックの位相を確定するクロック位相確定手段、をさらに含み、前記同期処理手段は、前記各クロック生成手段が生成するクロックの位相を、前記クロック位相確定手段が確定した位相に基づいて制御する、こととしてもよい。
【００１０】
これによれば、クロックの位相の確定を一部の無線通信部のみを停止させることで行うことができるので、位相確定までの処理を基地局装置全体を停止させて行う必要がなくなり、同期処理のために通信処理を行うことができない時間をできるだけ短縮することが可能となる。
【００１１】
さらに、上記各基地局装置において、当該基地局装置は、前記同期用信号を送信する他局同期用信号送信手段、を含み、前記他局同期用信号受信手段は、前記他局同期用信号送信手段による同期用信号送信タイミングでは、前記他の基地局装置が送信している同期用信号の受信を中止する、こととしてもよい。
【００１２】
極めて近接した位置にある他の無線通信部から送信されている同期用信号を受信すると、その受信電力が強すぎて受信回路が破壊されることがある。そこで他局同期用信号受信手段は、当該基地局装置の同期用送信タイミングでは同期用信号を受信しないようにしている。
【発明を実施するための最良の形態】
【００１３】
本発明の実施の形態について、図面を参照しながら説明する。
【００１４】
図１は、本実施の形態に係る移動体通信システム１０のシステム構成を示す図である。同図に示すように、移動体通信システム１０は複数の基地局装置２０及び複数の移動局装置４０を含んで構成される。ここでは、移動体通信システム１０はＰＨＳ方式を採用するものとして説明するが、本発明はＰＤＣ方式やＣＤＭＡ方式などの他の方式の移動体通信システムにも適用可能である。
【００１５】
各基地局装置２０及び各移動局装置４０は、いずれもＣＰＵ、メモリ、クロック、及び無線通信機能を備えたコンピュータである。メモリはプログラム及び該プログラムの実行の際に必要となるデータを記憶している。クロックはＣＰＵの動作タイミングを示す信号である。ＣＰＵはメモリに記憶されるプログラムに従い、クロックに応じたタイミングで動作する。またＣＰＵは必要に応じて上記データの読み出しや書き込みを行う。
【００１６】
基地局装置２０は複数の移動局装置４０と時分割多重による多重化無線通信を行う他、他の基地局装置２０が移動局装置４０に対して送信している無線信号を受信する。
【００１７】
各基地局装置２０及び各移動局装置４０はまた、それぞれに備えているクロックの位相を同期させるためのフレーム同期処理（位相同期処理）を行う。具体的には、基地局装置２０が送信している無線信号には同期用信号（詳細は後述する。）が含まれており、基地局装置２０は、他の基地局装置２０が送信しているこの同期用信号を受信し、受信した同期用信号にクロックを同期させることにより、フレーム同期処理を実現する。なお、このフレーム同期処理において、基地局装置２０は、他の基地局装置２０の後述する制御チャネルの信号を同期用信号として受信する。同様に、移動局装置４０は、基地局装置２０が送信している制御チャネルの信号を同期用信号として受信し、受信した同期用信号にクロックを同期させることにより、フレーム同期処理を実現する。
【００１８】
このフレーム同期処理を行う場合、上述のように通常の通信処理を行うことができない時間が生ずるが、各基地局装置２０は、この時間をできるだけ短縮するための構成を備えている。以下では、この構成について詳細に説明する。
【００１９】
図２は、基地局装置２０の機能ブロックを示す図である。同図に示すように、基地局装置２０は機能的に、複数の無線通信部２１と、同期処理部２２と、を含んで構成される。無線通信部２１はさらにメイン部２３、送信部２４、切替部２５、受信部２６、同期用信号生成部２８、クロック生成部２９を含んで構成され、受信部２６はさらに相関取得部２７を含んで構成される。同期処理部２２はさらに通信停止部３０、クロック位相変更部３１、クロック位相確定部３２を含んで構成される。
【００２０】
各無線通信部２１はそれぞれ、１又は複数の移動局装置４０との通信を行う。以下では、まずこの通信のための構成について説明する。
【００２１】
クロック生成部２９は水晶発振子を備えており、水晶発振子の振動周期に応じた周期のクロックを、所定位相で生成している。具体的には、このクロックは所定波形の信号の繰り返しにより構成される信号であり、さらに具体的な例では矩形波信号である。
【００２２】
同期用信号生成部２８は、クロック生成部２９の生成するクロックに応じた位相で、所定長かつ所定波形の信号である同期用信号を生成する。具体的には、同期用信号生成部２８は、生成する同期用信号の立ち上がりタイミングを、クロックを構成する所定波形信号の立ち上がりタイミングに合わせている。なお、こうして当該基地局装置２０で生成された同期用信号を、以下では自局同期用信号と称する。
【００２３】
ここでチャネルについて説明する。チャネルは基地局装置２０と移動局装置４０の間に設けられる独立した伝送路であり、通信チャネル及び制御チャネルに分類される。通信チャネルは基地局装置２０と移動局装置４０との間で音声通信又はデータ通信にかかるユーザデータである通信データを送受信するためのチャネルである。また、制御チャネルは、発呼要求や一斉呼出などの呼制御にかかる通信データを送受信するためのチャネルである。
【００２４】
メイン部２３はチャネルごとの通信データを順次取得し、送信部２４に出力する。このとき、制御チャネルにおいて送受信されるべき通信データには、当該基地局装置２０を示す基地局ＩＤ情報及び移動局装置４０を示す移動局ＩＤ情報が含まれる。送信部２４は、入力された通信データを変調することにより送信信号を取得する。そして送信部２４は、取得した送信信号と、同期用信号生成部２８の生成する自局同期用信号と、をそれぞれ所定位置に含むタイムスロット長のバースト信号を、チャネルごとに順次生成する。
【００２５】
また、送信部２４は、クロック生成部２９により生成されるクロックの位相に応じたタイミングで、一連のタイムスロットの送信タイミングを決定する。より具体的には、送信部は、各タイムスロットの立ち上がりタイミングを、クロックを構成する所定波形信号の立ち上がりタイミングに合わせる。このタイムスロットについて、図３を参照しながら説明する。
【００２６】
図３（ａ）は、移動体通信システム１０で使用されるタイムスロットの例を示した図である。同図に示すように、移動体通信システム１０では、所定数（ここでは４つ）の下りタイムスロットと、同数の上りタイムスロットと、が交互に送受信される。これを順にタイムスロットＴ１，Ｔ２，Ｔ３，Ｔ４，Ｒ１，Ｒ２，Ｒ３，Ｒ４と呼ぶことにすると、ＴｎとＲｎとは対をなしており、基地局装置２０はチャネルと一対のタイムスロット（以下、タイムスロットセットと称する。）とを対応付けて記憶する。
【００２７】
ここで、基地局装置２０は無線通信部２１を２つ備えているため、タイムスロットセットは８つ存在する。基地局装置２０はこのうち７つのタイムスロットセットについては通信チャネルと対応付け、残りの１つについては制御チャネルと対応付けて記憶している。図３（ａ）では、無線通信部２１−１のタイムスロットＴ２及びＲ２から構成されるタイムスロットセットに制御チャネルが対応付けられており、これらを制御スロットと表記している。なお、こうして制御チャネルに対応付けられるタイムスロットセットは、基地局装置２０ごとに異なっている。
【００２８】
送信部２４は、クロック生成部２９により生成されるクロックの位相に応じたタイミングで、下りタイムスロットＴｎの送信タイミングを決定する。そして、上記生成したバースト信号のうち、該下りタイムスロットＴｎと対応付けて記憶されるチャネルにおいて送信すべきバースト信号を、該下りタイムスロットＴｎの送信タイミングで、無線区間に送出する。
【００２９】
より具体的には、切替部２５は、アンテナと、送信部２４又は受信部２６のいずれかと、を接続する機能を有しており、特に上記下りタイムスロットの送信タイミングにおいては、アンテナと送信部２４とを接続する。これにより、送信部２４が下りタイムスロットにおいて送信したバースト信号は無線区間に送出される。逆に、後述する上りタイムスロットの受信タイミングにおいては、切替部２５はアンテナと受信部２６とを接続する。これにより、受信部２６は無線信号を受信する。以下では、この受信について説明する。
【００３０】
受信部２６は移動局装置４０が送信した無線信号を受信する。移動局装置４０は上記送信部と同様の処理により同期用信号（移動局装置４０で生成された同期用信号なので、以下ではこれを移動局同期用信号と称する。）を含むバースト信号を送信しており、相関取得部２７は、受信したバースト信号に含まれる移動局同期用信号と、同期用信号生成部２８が生成している自局同期用信号と、の相互相関を示す相関値を算出する。以下、この算出について詳細に説明する。
【００３１】
相関取得部２７は、クロック生成部２９により生成されるクロックの位相に応じ、一連の上りタイムスロットの受信タイミングを決定する。受信部２６はこの受信タイミングで受信したタイムスロット長の信号を取得する。当該基地局装置２０と移動局装置４０との間で網同期が取れている場合、こうして取得した信号は、移動局装置４０が生成したバースト信号となるはずである。そこで相関取得部２７は、タイムスロット長の信号がバースト信号であるとするならば移動局同期用信号であるべき部分（移動局同期用信号部分）を取得する。
【００３２】
また、同期用信号生成部２８は、相関取得部２７により取得される移動局同期用信号部分に対応するタイミングで自局同期用信号を生成し、相関取得部２７に出力する。
【００３３】
相関取得部２７は、取得した移動局同期用信号部分と、同期用信号生成部２８から出力される自局同期用信号と、の相互相関を示す相関値を算出する。算出される相関値は、両信号の波形が全く同一である場合に最大値となり、波形の類似度が低いほど小さな値となる。
【００３４】
受信部２６は、相関取得部２７によって算出された相関値が所定値以上であれば、相関取得部２７が取得した上りタイムスロットＲｎの受信タイミングで受信したタイムスロット長の信号を復調し、該上りタイムスロットＲｎと対応付けて記憶されるチャネルにかかる通信データとして、メイン部２３に出力する。
【００３５】
以上のようにして各無線通信部２１と移動局装置４０との通信が行われる。
【００３６】
次に、フレーム同期処理にかかる構成について説明する。
【００３７】
同期処理部２２は、各クロック生成部２９が生成するクロックをフレーム同期させる。具体的には、各クロック生成部２９がそれぞれ生成するクロックの位相を、受信部２６−２により受信した他局同期用信号と、同期用信号生成部２８−２により生成される自局同期用信号と、に基づいて制御する。以下、詳細に説明する。
【００３８】
まず、同期処理部２２がフレーム同期を行うことを決定すると、通信停止部３０は、制御チャネルと対応付けて記憶されるタイムスロットセットの送受信処理を行っていない無線通信部２１を示す情報を取得する。ここでは、通信停止部３０は無線通信部２１−２を示す情報を取得することになる。
【００３９】
次に通信停止部３０は、取得した情報により示される無線通信部２１−２の通信処理を停止させる。
【００４０】
通信停止部３０により通信処理が停止されると、無線通信部２１−２は、それまで下りタイムスロットに対応付けられていたタイムスロットも含め、当該無線通信部２１−２にかかる全てのタイムスロットを、他の基地局装置２０が制御チャネルにおいて送信しているバースト信号（以下、制御信号と称する。）の受信タイムスロットとする。ただし、無線通信部２１−１が同期用信号を送信しているタイミングを含むタイムスロットでは、受信を中止する。
【００４１】
この具体的な例を図３（ｂ）に示す。同図では、下りタイムスロットであったタイムスロットＴ１乃至Ｔ４が受信タイムスロットＲ５乃至Ｒ８として取り扱われている。この場合において、無線通信部２１−２は、無線通信部２１−１が同期用信号を送信しているタイミングを含む受信タイムスロットＲ６では受信を中止し、他の受信タイムスロットＲｎ（ｎ≠６）で受信を行っている。
【００４２】
相関取得部２７−２は、クロック生成部２９−２により生成されるクロックの位相に応じて一連の受信タイムスロットの受信タイミングを決定し、各受信タイムスロットにおいてそれぞれ受信される一連のバースト信号について、他局同期用信号であるべき部分（他局同期用信号部分）を取得する。
【００４３】
また、通信停止部３０により通信処理が停止されると、クロック位相確定部３２は、クロック位相変更部３１を利用してクロック生成部２９−２により生成されるクロックの位相を変更しつつ、該クロックに基づいて、同期用信号生成部２８−２に自局同期用信号を生成させる。以下、これらの各部の機能について具体的に説明する。
【００４４】
クロック位相変更部３１は、クロック位相確定部３２の指示に従い、クロック生成部２９−２が生成するクロックの位相を、フレームごとに所定量ずつ変更する。上述のように、相関取得部２７−２はクロック生成部２９により生成されるクロックの位相に応じて一連の受信タイムスロットの受信タイミングを決定しているので、この変更により、各受信タイムスロットの受信タイミングが変更され、その結果、各受信タイムスロットにおいてそれぞれ受信される一連のバースト信号のうち、相関取得部２７−２が取得する部分が変更される。
【００４５】
図３（ｃ）はこの変更を模式的に示した図である。同図に示すように、クロックの位相の変更により、受信タイムスロットの受信タイミングがフレームごとに少しずつ変更される。
【００４６】
さらに、こうして相関取得部２７により取得される他局同期用信号部分が変更される結果、同期用信号生成部２８が自局同期用信号を生成するタイミングも変更される。
【００４７】
相関取得部２７は、取得した他局同期用信号部分と、同期用信号生成部２８から出力される自局同期用信号と、の相互相関を示す相関値を受信タイムスロットごとに算出する。
【００４８】
受信部２６−２は、相関取得部２７が算出した相関値が所定値を上回っている受信タイムスロットについて、該受信タイムスロットの受信タイミングで受信したタイムスロット長の信号を復調する。この信号が、他の基地局装置２０が送信している制御信号である場合、該制御信号には基地局ＩＤ情報が含まれる。受信部２６−２は、この基地局ＩＤ情報と、該基地局ＩＤ情報を含む制御信号の受信レベルを示す受信レベル情報と、を対応付けてクロック位相確定部３２に出力する。
【００４９】
クロック位相確定部３２は、受信部２６−２から入力された１又は複数の基地局ＩＤ情報のうち、１つを選択する。具体的には、当該基地局装置２０に隣接する場所に設置されている１又は複数の基地局装置２０をそれぞれ示す基地局ＩＤ情報に優先度（この優先度を示す情報は同期レベルと称される。）をつけて記憶しておき、該優先度の最も高いものを選択するようにすることが好適である。また、優先度が同じ基地局ＩＤ情報が複数ある場合には、そのうち上記受信レベルが最も高いものを選択することが好適である。
【００５０】
さらにクロック位相確定部３２は、選択した基地局ＩＤ情報が入力された際のクロック位相変更部３１による位相の変更量を取得する。クロック位相確定部３２は、こうして取得した位相の変更量が０である場合、他の基地局装置２０とのフレーム同期が取れていると判断し、通信停止部３０に無線通信部２１−２の通信処理を再開させ、処理を終了する。
【００５１】
一方、取得した位相の変更量が０でない場合、クロック位相確定部３２は、こうして取得した位相の変更量に基づき、クロックの位相を確定する。すなわち、選択した基地局ＩＤ情報が示す基地局装置２０が送信している制御信号を受信した際のクロックの位相を、当該基地局装置２０のクロックの位相として確定する。またこの場合において、クロック位相確定部３２は、通信停止部３０を利用して無線通信部２１−１の通信処理を停止させる。
【００５２】
クロック位相変更部３１は、クロック生成部２９−１及びクロック生成部２９−２が生成するクロックの位相を、クロック位相確定部３２が確定した位相に基づいて制御する。具体的には、クロック位相確定部３２が確定した位相となるよう、制御する。
【００５３】
この制御が終了すると、通信停止部３０は無線通信部２１−１及び無線通信部２１−２の通信処理を再開させる。
【００５４】
以上説明した処理を、基地局装置２０の処理フロー図を参照しながら、再度より詳細に説明する。
【００５５】
図４は基地局装置２０が定期的に行うフレーム同期処理のフローを示す図である。なお、一般的に、制御チャネルを送受信する無線通信部２１をマスター部、送受信しない無線通信部２１をスレーブ部と称するため、同図では、無線通信部２１−１をマスター部、無線通信部２１−２をスレーブ部、と称している。
【００５６】
まず、基地局装置２０はスレーブ部の運用（通信処理）を停止する（Ｓ１）。次に基地局装置２０は、上述のようにして相関値を取得することにより、他の基地局装置２０が送信している制御信号を検索（受信）する（Ｓ２）。基地局装置２０は、こうして受信した制御信号から基地局ＩＤ情報を取得し、それに対応付けて記憶している同期レベルを取得する（Ｓ３）とともに、該制御信号の受信レベルを取得する（Ｓ４）。基地局装置２０は、全受信タイミングについて検索が終了したか否かを判断する（Ｓ５）。すなわち、基地局装置２０は上述のようにクロックの位相を変更しつつフレーム同期処理を行うが、この変更のパターンを全て試したか否かを判断する。全て試したと判断した場合（全受信タイミングについて検索が終了したと判断した場合）には、基地局装置２０は、処理をＳ７に移す。一方、まだ全て試していないと判断した場合にはクロックの位相を変更し（Ｓ６）、処理をＳ２に戻す。
【００５７】
ところで、同期レベルはその値が小さいほど上記優先度が高いことを示している。そこで、Ｓ７の処理において、基地局装置２０は、制御信号を受信した基地局装置２０のうち、最も同期レベルが小さい１又は複数の基地局装置２０を選択し、さらにその中で最も受信レベルが高いもの（以下、同期対象基地局装置と称する。）が送信している制御信号を検索した際のクロックの位相と、変更前のクロックの位相と、が異なっているか否かを判断する。この判断において、異なっていないと判断した場合には、スレーブ部のクロックの位相を元に戻し、スレーブ部の運用を開始する（Ｓ１２）。
【００５８】
Ｓ７において異なっていると判断した場合、基地局装置２０は、同期対象基地局装置が送信している制御信号を検索した際のスレーブ部の位相に基づき、クロックの位相を確定する（Ｓ８）。さらに、マスター部の運用を停止し（Ｓ９）、マスター部及びスレーブ部のクロックの位相を、Ｓ８で確定した位相に変更する（Ｓ１０）。この後、基地局装置２０はマスター部及びスレーブ部の運用を開始し、フレーム同期処理を終了する（Ｓ１１，Ｓ１２）。
【００５９】
以上説明したように、基地局装置２０は、複数の無線通信部２１を設け、それぞれがクロックを生成するようにし、一部の無線通信部２１において受信される他の基地局装置２０からの他局同期用信号と、該一部の無線通信部が位相を変更しつつ生成している自局同期用信号と、に基づいて、クロックの位相を制御するようにしているので、相関値を算出するために該一部の無線通信部２１以外のクロックの位相をずらす必要がなくなり、同期処理のために通信処理を行うことができない時間をできるだけ短縮することが可能となる。
【００６０】
また、無線通信部２１−２は、無線通信部２１−１が同期用信号を送信しているタイミングでは同期用信号を受信しないようにしているので、この同期用信号を受信してしまうことにより、無線通信部２１−２の受信回路が破壊されないようにすることができる。
【００６１】
なお、本発明における基地局装置は、上述した実施形態に限定されることなく、本発明の技術的思想を逸脱しない範囲で適宜変更可能である。
【００６２】
例えば、上述した実施形態では、基地局装置２０が複数の無線通信部２１を備え、これら複数の無線通信部２１を備えた基地局装置２０間で同期処理を行う構成について説明したが、当該構成に限定されることなく、無線通信部を１つしか備えていない基地局装置が複数ある場合には、これら複数の基地局装置（基地局装置群）を本発明における基地局装置の１つとして捉え、この基地局装置（基地局装置群）に対する同期処理も同様に実施することが可能である。この場合、何れかの基地局装置における無線通信部をマスター部とし、他の何れかの基地局装置における無線通信部をスレーブ部とするように設定すればよく、同期処理部は何れかの基地局装置に配設するように構成すればよい。
【図面の簡単な説明】
【００６３】
【図１】本発明の実施の形態に係る移動体通信システムのシステム構成を示す図である。
【図２】本発明の実施の形態に係る基地局装置の機能ブロック図である。
【図３】本発明の実施の形態に係る位相変更処理を説明するための説明図である。
【図４】本発明の実施の形態に係る処理フローを示す図である。
【符号の説明】
【００６４】
１０  移動体通信システム、２０  基地局装置、２１  無線通信部、２２  同期処理部、２３  メイン部、２４  送信部、２５  切替部、２６  受信部、２７  相関取得部、２８  同期用信号生成部、２９  クロック生成部、３０  通信停止部、３１  クロック位相変更部、３２  クロック位相確定部、４０  移動局装置。
【図１】
2007208333.tif 000003
【図２】
2007208333.tif 000004
【図３】
2007208333.tif 000005
【図４】
2007208333.tif 000006